(57)【特許請求の範囲】
【請求項１】
複数の異なるイメージングプロシージャに基づくパラメータを持つイメージングプロトコルを使用して実行されるシングルスキャンに対してイメージングシステムにより生成されたイメージングデータを受け取るステップであって、前記イメージングプロトコルの前記パラメータが、前記複数の異なるイメージングプロシージャの重みづけされた集合に基づいて最適化され、前記複数の異なるイメージングプロシージャが、診断イメージングプロシージャ及び非診断イメージングプロシージャを含み、前記診断イメージングプロシージャが前記非診断イメージングプロシージャより高く重みづけされる、当該受け取るステップと、
前記複数の異なるイメージングプロシージャの少なくとも１つに対応するアルゴリズムを使用して前記イメージングデータを処理するステップと、
前記処理されたイメージングデータを提示するステップと、
を有する方法。
【請求項２】
前記複数の異なるイメージングプロシージャが、コロノグラフィ、骨ミネラル濃度、脂肪評価及び血管カルシウムスコアイメージングプロシージャに基づく、請求項１に記載の方法。
【請求項３】
前記アルゴリズムが、コロノグラフィ、骨ミネラル濃度、脂肪評価及び血管カルシウムスコア処理アルゴリズムの少なくとも１つを含む、請求項１ないし２のいずれか一項に記載の方法。
【請求項４】
少なくとも２つの異なるアルゴリズムで処理されたイメージングデータが、提示窓の別のサブ窓において同時に提示される、請求項３に記載の方法。
【請求項５】
前記複数の異なるイメージングプロシージャの少なくとも２つに対応する情報を含む単一の報告を生成するステップを有する、請求項１ないし４のいずれか一項に記載の方法。
【請求項６】
コロノグラフィ、骨ミネラル濃度、脂肪評価及び血管カルシウムスコアアルゴリズムにそれぞれ対応する１以上のユーザアクティベート領域を持つユーザインタフェースを提示するステップを有する、請求項３ないし５のいずれか一項に記載の方法。
【請求項７】
前記イメージングデータを処理するように１以上の前記ユーザアクティベート領域を識別する入力を受け取るステップを有する、請求項６に記載の方法。
【請求項８】
前記複数の異なるイメージングプロシージャに基づいて前記イメージングプロトコルを生成するステップを有する、請求項１ないし７のいずれか一項に記載の方法。
【請求項９】
複数の異なるイメージングプロシージャに基づいて前記イメージングプロトコルを生成するステップと、
前記イメージングプロトコルを前記イメージングプロトコルにより満たされる１以上のイメージングプロシージャを示す情報と関連付けるステップと、
前記関連付けとともに前記イメージングプロトコルを検索可能なデータ記憶部に記憶するステップと、
を有する、請求項１ないし８のいずれか一項に記載の方法。
【請求項１０】
前記非診断イメージングプロシージャの少なくとも１つが、スクリーニングイメージングプロシージャである、請求項１ないし９のいずれか一項に記載の方法。
【請求項１１】
前記イメージングプロトコルが、前記イメージングプロトコルにより満たされる１以上のイメージングプロシージャに基づいて識別され、データ記憶部から得られる、請求項１ないし８のいずれか一項に記載の方法。
【請求項１２】
前記イメージングデータ又は前記処理されたイメージングデータの少なくとも１つを、前記データが前記複数の異なるイメージングプロシージャに加えて１以上のイメージングプロシージャを満たすことを示す情報と関連付けるステップ、
を有する、請求項１ないし９のいずれか一項に記載の方法。
【請求項１３】
前記関連付けとともに前記データが、データ記憶部に記憶され、前記データ記憶部が、前記イメージングプロトコルにより満たされるイメージングプロシージャのタイプに少なくとも部分的に基づいて検索可能である、請求項１２に記載の方法。
【請求項１４】
１以上のイメージングプロトコルを記憶するプロトコルバンクであって、前記プロトコルの少なくとも１つが複数の異なるイメージングプロシージャに基づく、前記プロトコルバンクと、
前記少なくとも１つのプロトコルに基づいて患者をスキャンするのに使用されるイメージングシステムであって、前記患者を示すイメージングデータを生成する前記イメージングシステムと、
前記複数の異なるイメージングプロシージャの少なくとも１つに対応する少なくとも１つのアルゴリズムを使用して前記生成されたイメージングデータを生成する、前記イメージングシステムと、
前記複数の異なるイメージングプロシージャの少なくとも１つに対応する少なくとも１つのアルゴリズムを使用して前記生成されたイメージングデータを処理するイメージングデータプロセッサと、
前記処理されたイメージングデータを提示する提示コンポーネントと、
前記複数の異なるイメージングプロシージャに基づいて前記イメージングプロトコルを生成するプロトコル生成器であって、前記イメージングプロトコルのパラメータが、前記複数の異なるイメージングプロシージャの重みづけされた集合に基づいて前記プロトコルのパラメータを最適化され、前記複数の異なるイメージングプロシージャが、診断イメージングプロシージャ及び非診断イメージングプロシージャを含み、前記診断イメージングプロシージャが前記非診断イメージングプロシージャより高く重みづけされる、当該プロトコル生成器と、
を有するシステム。
【請求項１５】
前記少なくとも１つのアルゴリズムが、コロノグラフィ、骨ミネラル濃度、脂肪評価及び血管カルシウムスコア処理アルゴリズムの少なくとも１つを含む、請求項１４に記載のシステム。
【請求項１６】
前記イメージングデータプロセッサが、
マイクロプロセッサと、
前記複数の異なるイメージングプロシージャの少なくとも１つに対応する少なくとも１つのアルゴリズムを記憶する記憶媒体であって、前記マイクロプロセッサが、前記複数の異なるイメージングプロシージャの少なくとも１つに基づいて前記イメージングデータを処理する、前記記憶媒体と、
を有する、請求項１４ないし１５のいずれか一項に記載のシステム。
【請求項１７】
前記提示コンポーネントが、前記コロノグラフィ、骨ミネラル濃度、脂肪評価及び血管カルシウムスコアアルゴリズムの２以上で処理されたイメージングデータを同時に提示する、請求項１４ないし１６のいずれか一項に記載のシステム。
【請求項１８】
前記イメージングデータプロセッサが、前記異なるイメージングプロシージャの２以上に基づいて単一の報告を生成する、請求項１４ないし１７のいずれか一項に記載のシステム。
【請求項１９】
前記プロトコル生成器が、前記バンク内の前記イメージングプロトコルを前記イメージングプロトコルにより満たされる１以上のイメージングプロシージャを示す情報と関連付ける、請求項１４ないし１８のいずれか一項に記載のシステム。
【請求項２０】
前記バンクが、前記プロトコルにより満たされるイメージングプロシージャのタイプに基づいてイメージングプロトコルについて検索可能である、請求項１４ないし１９のいずれか一項に記載のシステム。
【請求項２１】
前記イメージングデータ又は前記処理されたイメージングデータの少なくとも１つが、検索可能なデータ記憶部に記憶され、対応するイメージングプロトコルにより満たされる１以上のイメージングプロシージャを示す情報と関連付けられる、請求項１４ないし２０のいずれか一項に記載のシステム。
【請求項２２】
前記データ記憶部が、前記イメージングシステムの少なくとも一部である、請求項２１に記載のシステム。
【請求項２３】
前記データ記憶部が、患者医療情報システムの少なくとも一部である、請求項２１に記載のシステム。
【請求項２４】
コンピュータにより実行される場合に、
コロノグラフィ、骨ミネラル濃度、脂肪評価及び血管カルシウムスコアイメージングプロシージャの重みづけされた集合に基づいて最適化されたパラメータを持つイメージングプロトコルで取得されたイメージングデータを受け取るステップであって、前記イメージングプロシージャが、診断イメージングプロシージャ及び非診断イメージングプロシージャを含み、前記診断イメージングプロシージャが前記非診断イメージングプロシージャより高く重みづけされる、ステップと、
前記イメージングプロシージャの少なくとも１つに対応する少なくとも１つのアルゴリズムを使用して前記イメージングデータを処理するステップと、
前記処理されたイメージングデータを提示するステップと、
を前記コンピュータに実行させる命令を含むコンピュータ可読記憶媒体。
【請求項２５】
前記アルゴリズムの少なくとも２つを用いて処理されたイメージングデータが、同時に提示される、請求項２４に記載のコンピュータ可読記憶媒体。
【請求項２６】
前記命令が、前記コンピュータにより実行される場合に、前記複数の異なるイメージングプロシージャの少なくとも２つに対応する処理結果を含む報告を生成するステップを前記コンピュータに実行させる命令を含む、請求項２４ないし２５のいずれか一項に記載のコンピュータ可読記憶媒体。
【請求項２７】
前記命令が、前記コンピュータにより実行される場合に、前記異なるアルゴリズムにそれぞれ対応する１以上のユーザアクティベート領域を提示するステップを前記コンピュータに実行させる命令を含む、請求項２４ないし２６のいずれか一項に記載のコンピュータ可読記憶媒体。
【請求項２８】
前記命令が、前記コンピュータにより実行される場合に、前記イメージングデータを処理するために１以上の前記ユーザアクティベート領域を識別する入力を受け取るステップを前記コンピュータに実行させる命令を含む、請求項２４に記載のコンピュータ可読記憶媒体。
【請求項２９】
複数の異なるイメージングプロシージャの重みづけされた集合に基づいて最適化されたプロトコルを使用してイメージングプロシージャを実行し、イメージングデータを生成するステップであって、前記複数の異なるイメージングプロシージャが、診断イメージングプロシージャ及び非診断イメージングプロシージャを含み、前記診断イメージングプロシージャが、前記非診断イメージングプロシージャより高く重みづけされる、ステップと、
前記プロトコルが少なくとも１つの他のイメージングプロシージャを満たすことを決定するステップと、
前記イメージングデータを、前記イメージングデータが前記少なくとも１つの他のイメージングプロシージャを満たすことを示す第１の指標と関連付けるステップと、
前記イメージングデータ及び前記第１の指標を第１のデータ記憶部に記憶するステップと、
を有する方法。
【請求項３０】
前記プロトコルを、前記プロトコルが前記少なくとも１つの他のイメージングプロシージャを満たすことを示す第２の指標と関連付けるステップと、
前記プロトコル及び前記第２の指標を第２のデータ記憶部に記憶するステップと、
を有する、請求項２９に記載の方法。
【請求項３１】
前記第１の又は第２のデータ記憶部の少なくとも１つが、前記第１の又は第２の指標の少なくとも１つに少なくとも部分的に基づいて検索可能である、請求項２９ないし３０のいずれか一項に記載の方法。
【発明の詳細な説明】
【技術分野】
【０００１】
以下は、一般に、イメージングに関し、コンピュータ断層撮影（ＣＴ）イメージングに応用を見つけ、より具体的には、複数の異なるイメージングプロシージャに基づき、イメージングデータを処理し、及び／又は処理されたイメージングデータを提示及び／又は報告するプロトコルを持つシングルスキャンに応用を見つける。しかしながら、他の医療イメージングアプリケーション及び非医療イメージングアプリケーションをも受け入れる。
【背景技術】
【０００２】
コンピュータ断層撮影（ＣＴ）スキャナは、一般に、検査領域及びその中で患者支持器により支持される患者を横切る放射線を発するＸ線管を含む。検出器アレイは、前記検査領域及び前記患者を横切る放射線を検出する。前記検出器アレイは、前記検出された放射線を示す信号を生成する。再構成器は、前記信号を再構成し、前記患者を示す体積画像データを生成する。前記体積画像データは、前記患者の１以上の画像を生成するように処理されることができる。前記１以上の画像は、モニタに表示される及び／又はフィルムに印刷されることができる。
【０００３】
一般に、１以上の生体構造特有のスキャンプロトコルが、複数の異なる解剖学的構造に対して生成される。例として、１以上のプロトコルは、特に骨スキャンに対して設計されるのに対し、１以上の他のプロトコルは、肝臓又は脳のスキャンのような軟組織スキャンに対して設計される。各プロトコルは、特定の解剖学的構造に基づくスキャンパラメータ値で構成される。このようなスキャンパラメータの例は、ｍＡ、ｋＶｐ、スライス厚、解像度、スライス数等を含む。
【０００４】
不幸なことに、このような生体構造特有のプロトコルを使用する場合、軟組織スキャン及び骨スキャンを受ける患者は、しばしば前記軟組織スキャンに対して１回、前記骨スキャンに対して１回、合計２回スキャン及び照射され、各スキャンが、前記患者の生涯放射線量を増加する。加えて、前記スキャンは、２つの異なる時間及び／又は場所で実行されるかもしれず、第１のスキャンからのスキャン結果は、容易にアクセス可能ではなく、他のスキャンからの結果から分離される。更に、スクリーニング型スキャン（例えば、ＣＴコロノグラフィ）のような順序づけられたスキャンは、事前承認プロシージャリストに含まれていないスキャンのために実行されることができない。一例において、これは、症状のない患者を照射する懸念によるかもしれない。
【発明の概要】
【発明が解決しようとする課題】
【０００５】
本出願の態様は、上記の問題等に対処する。
【課題を解決するための手段】
【０００６】
一態様によると、方法は、複数の異なるイメージングプロシージャに基づくパラメータを持つイメージングプロトコルを使用して実行されるスキャンに対してイメージングシステムにより生成されるイメージングデータを受け取るステップを含む。前記方法は、更に、前記複数の異なるイメージングプロシージャの少なくとも１つに対応する少なくとも１つのアルゴリズムを使用して前記イメージングデータを処理するステップを含む。前記方法は、更に、前記処理されたイメージングデータを提示するステップを含む。
【０００７】
他の態様によると、システムは、１以上のイメージングプロトコルを記憶するプロトコルバンクを含む。前記プロトコルの少なくとも１つは、複数の異なるイメージングプロシージャに基づく。前記システムは、更に、前記少なくとも１つのプロトコルに基づいて患者をスキャンするのに使用されるイメージングシステムを含み、前記イメージングシステムは、前記患者を示すイメージングデータを生成する。前記システムは、更に、前記複数の異なるイメージングプロシージャの少なくとも１つに対応する少なくとも１つのアルゴリズムを使用して前記生成されたイメージングデータを処理するイメージングデータプロセッサを含む。前記システムは、更に、前記処理されたイメージングデータを提示する提示コンポーネントを含む。
【０００８】
他の態様によると、コンピュータ可読記憶媒体は、コンピュータにより実行される場合に、コロノグラフィ、骨ミネラル濃度、脂肪評価及び血管カルシウムスコアイメージングプロシージャに基づくイメージングプロトコルを用いて取得されたイメージングデータを受け取るステップと、前記イメージングプロシージャの少なくとも１つに対応する少なくとも１つのアルゴリズムを使用して前記イメージングデータを処理するステップと、前記処理されたイメージングデータを提示するステップとを前記コンピュータに実行させる命令を含む。
【０００９】
他の態様によると、方法は、複数の異なるイメージングプロシージャに対して最適化されたプロトコルを使用してイメージングプロシージャを実行し、イメージングデータを生成するステップと、前記プロトコルが少なくとも１つの他のイメージングプロシージャを満たすことを決定するステップと、前記イメージングデータが前記少なくとも１つの他のイメージングプロシージャを満たすことを示す第１の指標（indicia）と前記イメージングデータを関連付けるステップと、前記イメージングデータ及び前記第１の指標を第１のデータリポジトリに記憶するステップとを含む。
【００１０】
本発明は、様々なコンポーネント及びコンポーネントの構成、並びに様々なステップ及びステップの構成の形を取りうる。図面は、好適な実施例を説明する目的のみであり、本発明を限定すると解釈されるべきでない。
【図面の簡単な説明】
【００１１】
【図１】イメージングシステムと接続された一例のイメージングデータ分析システムを示す。
【図２】イメージングデータを提示する一例のグラフィックユーザインタフェース及び／又はそこから得られた情報を示す。
【図３】一例の方法を示す。
【発明を実施するための形態】
【００１２】
図１は、コンピュータ断層撮影（ＣＴ）スキャナのようなイメージングシステム１００を示す。イメージングシステム１００は、静止ガントリ１０２及び静止ガントリ１０２により回転可能に支持される回転ガントリ１０４を含む。回転ガントリ１０４は、長手又はｚ軸を中心に検査領域１０６の周りを回転する。
【００１３】
Ｘ線管のような放射線源１０８は、回転ガントリ１０４により支持され、検査領域１０６の周りを回転する。放射線源１０８は、放射線を発し、コリメータは、前記発せられた放射線をコリメートし、検査領域１０６を横切る、概して扇形、楔形、又は円錐形放射線ビームを生成する。
【００１４】
放射線感受性検出器アレイ１１０も、回転ガントリ１０４により支持され、検査領域１０６の反対側の放射線源１０８の真向かいの角度アークの範囲を定める。検出器アレイ１１０は、検査領域１０６を横切る放射線を検出し、前記放射線を示す投影データを生成する。
【００１５】
カウチのような患者支持器１１２は、検査領域１０６において前記患者を支持する。
【００１６】
汎用コンピューティングシステム１１４は、オペレータコンソールとして機能する。前記コンソールは、少なくとも１つのプロセッサ及びコンピュータ可読媒体に常駐するソフトウェア又はコンピュータ実行可能命令を含む。前記ソフトウェアは、前記プロセッサ又は他のプロセッサにより実行される場合、前記オペレータが、イメージングプロトコルの選択、イメージングプロトコルの作成、イメージングプロトコルの修正、スキャナの起動、イメージングデータの転送等を含むシステム１００の動作を制御することを可能にする。
【００１７】
プロトコルバンク１１６は、システム１００により使用される１以上のスキャン又はイメージングプロトコルを記憶する。プロトコルバンク１１６内のプロトコルの少なくとも１つは、異なるイメージングプロシージャのセットに適合される。例えば、一例において、前記プロトコルの少なくとも１つは、コロノグラフィ、骨ミネラル濃度、脂肪評価及び血管（例えば、大動脈）カルシウムイメージングプロシージャを含む４つの異なるイメージングプロシージャに対して最適化される。一例において、前記プロトコルは、個別の特有のプロトコルのスキャン要件とは対照的に、前記異なるイメージングプロシージャの集合スキャン要件に対して最適化される。他の例において、重みづけ係数（例えば、０から１）が、前記プロトコルを前記異なるイメージングプロシージャの１以上のサブセットに対して焦点を合わせる又は中心にするのに使用される。更に他のプロトコルは、１以上の異なるイメージングプロシージャに対して最適化されることができる。
【００１８】
一例のコロノグラフィスキャンは、結腸内異常の解釈のために通気された前記患者の結腸に対する腹部‐骨盤スキャンを含む。一例の骨ミネラル濃度スキャンは、腹部‐骨盤スキャンを含み、その結果が、例えば、骨粗鬆症スクリーニング／診断に対して、患者の骨密度を測定するのに使用される。脂肪評価スキャンは、内臓及び／又は皮下脂肪を測定するのに使用される。血管カルシウムスキャンは、血管石灰化の存在及び／又は度合いを示す血管カルシウムスコアを生成するのに使用される。
【００１９】
スキャンに対して異なるイメージングプロシージャのセットに基づいて生成されたプロトコルを使用することにより、シングルスキャンからのイメージングデータは、前記イメージングプロシージャの４つすべて（コロノグラフィ、骨ミネラル濃度、脂肪評価、及び血管カルシウム）に対して使用される。上記のように、このようなプロトコルは、すべての前記イメージングプロシージャの集合、重みづけされた集合、前記イメージングプロシージャのサブセット、又は他に基づいて最適化されることができる。
【００２０】
一実施例において、プロトコルバンク１１６は、ローカルに又はコンソール１１４から離れて配置されたデータベースである（又はその中の情報が、追加的にデータベースに提供されることができる）。この実施例において、プロトコルバンク１１６内の少なくとも１つのプロトコルは、いずれのイメージングプロシージャを満たすかを示す情報（例えば、メタデータ、フラグ、指標、ルックアップテーブル等）を含む、又は関連付けられる。この情報は、承認された人（例えば、審査する医師、放射線技師、技術者等）にとってアクセス可能であり、後のスキャンに対して（そのまま又は修正して）使用されることができる。実行するコンソール、ウェブ又は他のアプリケーションは、患者情報、関心のイメージングプロシージャ等のような様々な基準に基づいてイメージングプロシージャに対する候補プロトコルについて前記データベースを検索するのに使用されることができる。
【００２１】
同様に、このようなプロトコルを使用して実行されたスキャンからのイメージングデータ（及び／又はそこから得られた情報及び／又は処理されたイメージングデータ）は、いずれのイメージングプロシージャを満たすかを示す情報でタグ付けされる又は関連付けられることができる。前記イメージングデータは、画像保管通信システム（ＰＡＣＳ）、放射線医学情報システム（ＲＩＳ）、病院情報システム（ＨＩＳ）及び／又はデータリポジトリのようなデータリポジトリに記憶されることができる。同様に、実行コンソール、ウェブ又は他のアプリケーションは、患者情報、関心のイメージングプロシージャ、満たされたイメージングプロシージャ等のような基準に基づいて以前のイメージングプロシージャについて前記データリポジトリを検索するのに使用されることができる。一例において、これは、医師が、新しいスキャンプロシージャに対する要求を入力し、以前のイメージングスキャンが前記新しいスキャンプロシージャに必要とされるデータを含むかどうかを決定することを可能にする。これは、前記新しいスキャンプロシージャを排除するもしくは置き換える、又は履歴比較に対するデータを提供することができる。
【００２２】
プロトコル生成器１１８は、プロトコルバンク１１６に記憶されるプロトコルを含むイメージングプロトコルを生成する。図示されたプロトコル生成器１１８は、上記のもののようなイメージングプロシージャの特定のセット及びユーザ又は他の入力に基づいてプロトコルを生成するプロセッサを含む。前記イメージングプロシージャのセットが、コロノグラフィ、骨ミネラル濃度、脂肪評価及び血管カルシウムイメージングプロシージャを含む場合、プロトコル生成器１１８は、前記コロノグラフィ、骨ミネラル濃度、脂肪評価及び血管カルシウムイメージングプロシージャの集合、重みづけされた集合、サブセット等に基づいて最適されたイメージングプロトコルを生成することができる。
【００２３】
プロトコル生成器１１８に提供される入力は、もしあれば、いずれのイメージングプロシージャが診断目的であるか及び／又はもしれあれば、いずれのイメージングプロシージャがスクリーニング目的であるかのような情報を含んでもよい。プロトコル生成器１１８は、この場合、プロトコルを生成する場合にこの情報を考慮に入れることができる。例えば、このような情報は、診断イメージングプロシージャが非診断イメージングプロシージャより高く重みづけされる特定の重みづけスキームと関連付けることができる。他の例において、プロトコル生成器１１８は、イメージングプロシージャが診断イメージングプロシージャであるか又はスクリーニングイメージングプロシージャであるかを決定するのにルックアップテーブル又は他の所定のリストを使用することができる。
【００２４】
再構成器１２２は、前記投影データを再構成し、前記投影データを示す体積画像データを生成する。
【００２５】
イメージングデータプロセッサ１２４は、マイクロプロセッサ１２６及びメモリ１２８のようなコンピュータ可読記憶媒体を含む。メモリ１２８は、マイクロプロセッサ１２６により実行可能なコンピュータ実行可能命令を記憶する。イメージングデータプロセッサ１２４は、システム１００とは別に示されている。このように、これは、専用ワークステーション、デスクコンピュータ、サーバ及び／又は他のコンピューティングシステムの一部であることができる。他の実施例において、イメージングデータプロセッサ１２４は、コンソール１１４の一部である。
【００２６】
前記命令は、システム１００からの再構成された及び／又は生のイメージングデータを処理し、及び／又はそれから情報を得る１以上のアルゴリズムを含む。図示されたメモリ１２８は、コロノグラフィアルゴリズム１３０、骨ミネラル濃度アルゴリズム１３２、脂肪評価アルゴリズム１３４、血管カルシウムスコアアルゴリズム１３６及び１以上の他のアルゴリズム１３８を含む。
【００２７】
提示コンポーネント１４０は、前記処理された及び／又は得られた情報及び／又は他の情報を提示する。これは、生イメージングデータ、再構成されたイメージングデータ、スコア及び／又は他の情報を提示することを含みうる。次により詳細に記載されるように、提示コンポーネント１４０は、このような情報をモニタに表示されるグラフィックユーザインタフェース（ＧＵＩ）において提示することができる。ＧＵＩ２００に対するコンピュータ実行可能命令は、メモリ１２８及び／又は他の記憶部に記憶されることができる。
【００２８】
図２は、一例のＧＵＩ２００を示す。前記ＧＵＩは、メモリ１２８に記憶された前記アルゴリズムの１以上を呼び出す１以上のユーザアクティベート領域２０２を含む。ユーザアクティベート領域２０２は、マウス、デジタルペン、キーボード、タッチスクリーン及び／又は他の入力装置のような様々な入力装置によりアクティベートされることができる。
【００２９】
ロードデータ領域２０４は、ユーザが、分析のために生及び／又は再構成イメージングデータを含む記憶されたイメージングデータを選択することを可能にする。このようなデータは、ＧＵＩアプリケーションを実行する前記システムから離れて又はローカルに記憶されることができる。例として、前記データは、ローカルハードドライブ、ポータブル記憶媒体、又は遠隔データ記憶リポジトリに記憶されることができる。遠隔データ記憶リポジトリの例は、画像保存通信システム（ＰＡＣＳ）、放射線医学情報システム（ＲＩＳ）、病院情報システム（ＨＩＳ）及び／又は他の記憶部、データベース、及び／又はアーカイブシステムを含む。遠隔に配置されたデータは、ネットワーク又はバス等の上で受け取られることができる。
【００３０】
図示されたＧＵＩ２００は、コロノグラフィアルゴリズム呼び出し領域２０６、骨ミネラル濃度アルゴリズム呼び出し領域２０８、脂肪評価アルゴリズム呼び出し領域２１０及び血管カルシウムアルゴリズム呼び出し領域２１２をも含む。アルゴリズム呼び出し領域２０６ないし２１２は、ユーザにより個別に選択可能である。これは、ユーザが、前記選択された生及び／又は再構成イメージングデータに対して実行する分析の１以上のタイプを選択することを可能にする。例えば、前記ユーザが、コロノグラフィ、骨ミネラル濃度、脂肪評価及び血管カルシウム分析を実行することを望む場合、前記ユーザは、領域２０６ないし２１２に４つすべてをアクティベートする。前記ユーザが、コロノグラフィ、骨ミネラル濃度、脂肪評価及び血管カルシウム分析のサブセットを実行することを望む場合、前記ユーザは、前記サブセットに対応する領域２０６ないし２１２をアクティベートする。前記ユーザが、他の分析を実行することを望む場合、前記ユーザは、領域２０６ないし２１２のいずれもアクティベートしない。
【００３１】
提示フォーマット領域２１４は、前記分析のどの結果がどのように表示されるかを前記ユーザが事前選択することを可能にするオプションを提供する。例えば、ＧＵＩ２００又はディスプレイ上に提示される他の窓は、前記コロノグラフィ、骨ミネラル濃度、脂肪評価及び血管カルシウム分析の各々に対する結果に対して１つ、合計４つの異なる窓又はスクリーンに分割されることができる。他の例において、前記アルゴリズムの１以上に対する分析結果は、同じ窓の中に提示されることもできる。前記分析結果は、限定的ではないが、画像（２Ｄ、３Ｄ、４Ｄ及び／又は動画）、スコア、画像及びスコアの組み合わせ、及び／又は他の情報のような様々な情報を含みうる。ＧＵＩ２００は、デフォルト提示フォーマットを提供することができるデフォルト選好ファイルと関連付けられることもできる。この場合、領域２１４は、省略されることができる。
【００３２】
報告ユーザアクティベート領域２１６は、報告が生成されるべきであるかどうか、前記報告にどの情報を含むべきか、前記報告をどこに送信すべきか等を前記ユーザが示すことを可能にする。一例において、報告ユーザアクティベート領域２１６をアクティベートすることは、前記ユーザにより選択可能である報告オプションのリストを持つ窓を生成する。他の例において、前記シングルスキャンからの前記異なるイメージングプロシージャの各々に関する結果及び／又は他の情報を含む包括的な単一の報告が、生成される。このように、イメージングデータプロセッサ１２４は、前記異なるイメージングプロシージャを単一の包括的報告に統一及び一体化することができる。
【００３３】
実行ユーザアクティベート領域２１８は、前記ユーザが、選択されたアプリケーション領域２０６ないし２１２に対応するコンピュータ可読命令を実行するようにプロセッサ１２６を起動することを可能にする。
【００３４】
図３は、一例のワークフローを示す。
【００３５】
３０２において、イメージングプロトコルが、複数の異なるイメージングプロシージャに基づいて生成される。上記のように、一例において、プロトコルは、コロノグラフィ、骨ミネラル濃度、脂肪評価及び血管カルシウムスコアイメージングプロシージャを含むイメージングプロシージャのセットに基づいて生成され、最適化される。一例において、前記イメージングプロトコルは、前述のイメージングプロシージャに対して最適化されたパラメータを持つ腹部‐骨盤スキャンを含む。ここに示されるように、前記生成されたプロトコルは、（例えば、診断、スクリーニング又は他の目的に対して）これが満たすイメージングプロシージャに関する情報と関連付けられ、記憶され、承認された人によりアクセス可能であることができる。
【００３６】
３０４において、前記イメージングプロトコルは、患者をスキャンするのに選択される。前記選択されたプロトコルは、特定の患者及び実行されるべきイメージングプロシージャ、前記患者の以前のスキャン、異なる患者の以前のスキャンに対して生成されたプロトコル、又はここで論じられる他のプロトコルであることができる。
【００３７】
３０６において、前記患者は、前記選択されたプロトコルを使用してスキャンされる。同様に、結果として生じるイメージングデータ及び／又はそれから得られるデータは、これが満たすイメージングプロシージャに関する情報でタグ付け又は他の形で関連付けられ、記憶され、承認された人によりアクセス可能であることができる。
【００３８】
３０８において、ユーザは、コロノグラフィ、骨ミネラル濃度、脂肪評価及び血管カルシウムスコアアルゴリズムの１以上を含む１以上の分析アルゴリズムを選択する。
【００３９】
３１０において、前記スキャンからのイメージングデータは、前記選択された１以上の分析アルゴリズムを使用して処理される。同様に前記処理されたイメージングデータは、これが満たすイメージングプロシージャに関する情報でタグ付け又は他の形で関連付けられ、記憶され、承認された人によりアクセス可能であることができる。
【００４０】
３１２において、処理結果が提示される。ここに記載されるように、これは、前記ディスプレイ上の別の又は同じサブ窓において異なるアプリケーションの１以上の対する情報（例えば、画像、スコア等）を同時に提示することを含みうる。
【００４１】
ここに示されるように、このようなプロトコルは、コロノグラフィ、骨ミネラル濃度、脂肪評価及び血管カルシウム情報を得るようにシングルスキャンからのイメージングデータを分析することを可能にする。
【００４２】
上記のことは、コンピュータプロセッサにより実行される場合に、ここに記載される動作を前記プロセッサに実行させるコンピュータ可読命令を用いて実施されうる。このような場合、前記命令は、関連するコンピュータと関連付けられた及び／又は他の形でアクセス可能であるメモリのようなコンピュータ可読記憶媒体に記憶される。
【００４３】
図示された例は、骨ミネラル濃度、大動脈石灰化、及び脂肪分析に対するＣＴコロノグラフィデータの使用に関連して論じられているが、他のデータが骨ミネラル濃度、大動脈石灰化及び脂肪分析に対して追加的に又は代替的に使用されることができ、及び／又は前記アプローチを使用してキャプチャされたＣＴコロノグラフィデータが、ここで他のタイプの分析に対して使用されることができると理解される。
【００４４】
本発明は、様々な実施例を参照してここに記載されている。修正及び変更は、ここの記載を読むと他者が思いつきうる。本発明は、添付の請求項又はその同等物の範囲内に入る限りすべてのこのような修正及び変更を含むと解釈されることが意図される。
【図１】
0006014496.tif 000002
【図２】
0006014496.tif 000003
【図３】
0006014496.tif 000004